(57)【要約】【課題】  現地での寸法、形状調整が可能で、低コストで汎用性があり、且つ、納期の問題を生じない電線支持具とこれを用いた電線の架設方法を提供する。【解決手段】  電線支持具１は、碍子４の端部に設けられて、碍子４の外周よりも外方へ突出すると共に電線２を挿通可能とする管状部材３と、この管状部材３を碍子４の端部に固定する固定手段（丸線クランプ８）とを具備する。このような電線支持具１を用いて電線を架線するには、管状部材３を所望の寸法に切断し、この切断した管状部材３を碍子の端部に固定手段により固定し、しかる後に電線２を管状部材３に挿通させて架線すればよい。この際、管状部材３に挿通させた電線２を管状部材３の一部を圧縮して該管状部材に固定させてもよい。【選択図】        図１
2006081349.tif 000002
【特許請求の範囲】
【請求項１】
碍子の端部に配置され、前記碍子の外周よりも外方へ突出すると共に電線を挿通可能とする管状部材と、
前記管状部材を前記碍子の端部に固定する固定手段と
を具備することを特徴とする電線支持具。
【請求項２】
前記管状部材とこれに挿通させる電線との軸方向の相対的な位置ずれを防止する位置ずれ防止手段を設けたことを特徴とする請求項１記載の電線支持具。
【請求項３】
前記位置ずれを防止する手段は、前記管状部材の一部を圧縮して前記電線を前記管状部材に固定させることで構成されるものであることを特徴とする請求項２記載の電線支持具。
【請求項４】
請求項１に記載の電線支持具を用いた電線の架設方法であって、
電線を挿通可能とする前記管状部材を所望の寸法に切断し、この切断された管状部材を碍子の端部に前記固定手段により固定し、しかる後に前記電線を前記管状部材に挿通させて架線することを特徴とする電線の架設方法。
【請求項５】
前記切断された管状部材を前記碍子の端部に固定する前に所望の形状に加工することを特徴とする請求項４記載の電線の架設方法。
【請求項６】
前記管状部材に挿通させた電線を前記管状部材の一部を圧縮して該管状部材に固定させるようにしたことを特徴とする請求項４又は５記載の電線の架設方法。
【発明の詳細な説明】
【技術分野】
【０００１】
この発明は、発電所や変電所の構内や送電線鉄塔部等における配線に際して電線を支持
するために適用される電線支持具及びこれを用いた電線の架設方法に関する。
【背景技術】
【０００２】
発電所や変電所の構内や送電線鉄塔部等における配線において、電線の支持間隔が長くなると、風圧や地震などに起因して電線が大きく揺れ、電線がこれに隣接する機器等に接触する不都合が懸念される。このため、従来においては、下記する特許文献１に示されるような電線支持金具が考えられている。
【０００３】
これは、電線支持金具を、碍子の端部に固定する取付部と、この取付部から横方向に碍子の外周よりも突出するように延長配置された支持部とによって構成し、支持部において電線を延長方向に沿って所定長さ支持するようにしたものである。支持部への電線の支持は、支持部の上面に固定配置された台座と挟持板との間に電線を介装させてネジ止めしたり、一対のコロナ防止部材間に固定された支持板にＵ字状の止めピンで固定する構成が採用されている。
【０００４】
【特許文献１】特開平７−２３１５４３号公報
【発明の開示】
【発明が解決しようとする課題】
【０００５】
しかしながら、上述した電線支持金具においては、碍子の端部に固定する取付部が所定箇所に設けられ、この取付部から横方向に電線を支持する支持部が延設されているので、予め所定長、所定形状に成形された支持金具を現地へ運び込み、碍子の端部にそのまま固定して取り付けるようにしている。このため、現地での実情に合わせて電線支持金具の寸法を調整したり、碍子への取り付け位置を調整したり、電線支持金具の形状を調整することはできないものであった。
【０００６】
また、現地の状況に合わせて、最適寸法、最適形状の支持金具を得ようとすると、現場毎に専用の支持金具を作製する必要があるので、現場毎に支持金具を特注しなければならなくなり、単価が高くなり、汎用性に乏しく、また、納期がかかる不都合もある。
【０００７】
本発明は、上述のような事情に鑑みてなされたものであり、現地での寸法、形状調整が可能で、低コストで汎用性があり、且つ、納期の問題も生じない電線支持具及びこれを用いた電線の施設方法を提供することを主たる課題としている。
【課題を解決するための手段】
【０００８】
上記課題を達成するために、この発明にかかる電線支持具は、碍子の端部に配置され、前記碍子の外周よりも外方へ突出すると共に電線を挿通可能とする管状部材と、前記管状部材を前記碍子の端部に固定する固定手段とを具備して構成したことを特徴としている（請求項１）。
【０００９】
このような構成によれば、碍子の端部に固定された管状部材に電線を挿通させれば、電線は管状部材の長さだけ支持されるので、管状部材の両側付近で大きく垂れ下がることがなくなり、風圧や地震などに起因する電線の大きな揺れをなくすことができ、また、電線とこれに隣接する機器等との距離を十分に確保することが可能となる。しかも、電線を支持するために管状部材を用いたので、現地で型取りして切断することが可能となり、自由に寸法調整が可能となる。また、管状部材を用いていることから、曲げ加工も容易となるので、特殊な曲線にも対応することが可能となり、電線を支持する専用の支持具を特注する必要もないため、納期の問題もなくなる。
【００１０】
ここで、管状部材は、銅管やアルミ管などの金属管でも、合成樹脂管であってもよく、金属管を用いる場合には、異種金属の接触による発熱を回避するために、電線が銅線である場合には銅管を、電線がアルミ線である場合にはアルミ管をそれぞれ用いるとよい。また、碍子は、専用の支持架台に設けられるものであっても、変電所の遮断器などの機器上に設けられる既存のものであってもよい。
【００１１】
さらに、上述した構成は、地震などによる電線の軸方向の動きを許容するために、管状部材と電線とのクリアランスを十分に確保しても、また、電線の軸方向の動きを抑制するために、管状部材とこれに挿通させる電線との軸方向の相対的な位置ずれを防止する位置ずれ防止手段を設けてもよい（請求項２）。この位置ずれを防止する手段としては、例えば、前記管状部材の一部を圧縮して電線を管状部材に固定させることで構成されるものであってもよい（請求項３）。
【００１２】
以上の電線支持具を用いた電線の架設方法としては、電線を挿通可能とする管状部材を所望の寸法に切断し、この切断された管状部材を碍子の端部に前記固定手段により固定し、しかる後に電線を管状部材に挿通させて架線するようにするとよい（請求項４）。この際、前記切断した管状部材を前記碍子の端部に固定する前に所望の形状に加工するようにしても（請求項５）、管状部材に挿通させた電線を管状部材の一部を圧縮して該管状部材に固定させてもよい（請求項６）。
【００１３】
したがって、切断された管状部材を必要に応じて所望の形状に加工して碍子の端部に固定し、電線を管状部材に挿通させた後に必要により管状部材の一部を圧縮して電線を管状部材に固定すれば、電線の架設作業を完了させることができるので、汎用品の管状部材を現地に持ち込み、ここで管状部材を必要長に切断したり必要形状に加工して所望の電線支持具を構築することが可能となる。
【発明の効果】
【００１４】
以上述べたように、この発明によれば、電線支持具を、碍子の端部に設けられ、碍子の外周よりも外方へ突出すると共に電線を挿通させる管状部材と、管状部材を碍子の端部に固定する固定手段とを有して構成するようにしたので、電線を管状部材の長さだけ支持することが可能となり、電線の垂れ下がりを小さくして大きな揺れをなくすことができ、また、電線とこれに隣接する機器等との距離を十分に確保することが可能となる。このため、電線の支持間隔が長い箇所においても、複数の支持碍子を設ける必要がなくなる。
【００１５】
特に、本発明の支持具によれば、電線を支持するために管状部材が用いられるので、現地で自由に寸法調整が可能となり、また、曲げ加工が容易となるので、特殊な曲線にも対応することが可能となる。このため、電線を支持する専用の支持具を特注する必要がなくなり、低コストで汎用性に優れた支持具を提供でき、また、支持具の納期の問題もなくなる。また、管状部材の一部を圧縮して挿通した電線を管状部材に固定させるようにすれば、電線と管状部材との相対位置を固定するために格別な部材が不要となる。
【発明を実施するための最良の形態】
【００１６】
以下、この発明の最良の実施形態を添付図面を参照しながら説明する。
【００１７】
図１乃至図３において、電線支持具１は、電線２を挿通可能とする管状部材３を碍子４の上部に碍子４の外周よりも外方へ突出させるように取り付けて構成されている。この例において電線支持具１は、機器５，６間の配線を行なうために使用されており、碍子４は、地上に立設された専用の支持架台７上に固定されている。
【００１８】
前記管状部材３の碍子４への固定手段は、例えば、丸線クランプ８が用いられている。この丸線クランプ８は、管状部材３の外形に合わせて断面Ｕ字状に形成された溝部９ａと、この溝部９ａの両脇に延設されたフランジ部９ｂとを有して構成された挟持板９を備え、この挟持板９の溝部９ａと碍子４の上端部との間に管状部材３を介装させ、挟持板９のフランジ部９ｂをボルト１０で碍子４の上端部に取り付けることで、管状部材３を挟持板９と碍子４との間に挟持するようにしている。
【００１９】
管状部材３は、銅管、アルミ管などの金属管、又は、合成樹脂管などによって構成可能であり、電線２の垂れ下がりを小さくすると共に電線２とこれに隣接する機器との離間距離を十分に確保できるような長さに調整されるもので、金属管を用いる場合であれば、異種金属の接触による発熱を抑えるため、電線２が銅線であれば銅管が用いられ、電線２がアルミ線であればアルミ管が用いられる。また、管状部材３が合成樹脂管で構成される場合であれば、耐水性、耐震性、耐熱性に優れた材質が選定される。
【００２０】
そして、管状部材３に電線２を挿通させ、管状部材３の両端部３ａ，３ｂを工具などで圧縮させることで電線２を管状部材３に固定させ、軸方向の位置ずれを生じないようにしている。
【００２１】
以上の構成において、上述した電線支持具１を用いて電線２の架設工事を行なう場合には、現地に切断前の管状部材を運びこみ、現地で必要長に切断し、管状部材３を碍子４の上端部に丸線クランプ８で固定する。この際、切断された管状部材３を碍子４に対して丸線クランプ８で仮止めして管状部材３を軸方向に変位できるようにしておく。そして、管状部材３の位置を微調整して、電線２の垂れ下がり具合、電線２とこれに隣接する機器等との離間距離などを調整し、必要があれば管状部材３を更に切断し、しかる後にボルト１０を本締めして丸線クランプ８で管状部材３を強固に固定する。その後、管状部材３の両端部３ａ，３ｂをかしめて電線２を管状部材３に固定する。
【００２２】
また、切断された管状部材３は、碍子４に取り付ける前に、必要に応じて工具などで曲げ加工して形状を調整してもよい。図４は切断された管状部材３の一端を略９０度に緩やかに曲げて電線の架設方向を変更するようにした状態を示す。
【００２３】
したがって、このような電線支持具１を用いて電線２を付設すれば、電線２を管状部材３の長さだけ支持することが可能となり、管状部材３の両側付近で大きく垂れ下がることがなくなり、風圧や地震などに起因する電線２の大きな揺れをなくすことができ、また、電線２とこれに隣接する機器等との離間距離を十分に確保することが可能となる。このため、電線２の支持間隔が長い箇所においても、電線の揺れを防止すると共に隣接機器等との離間距離を確保するために、複数の支持碍子を設ける必要がなくなる。
【００２４】
また、電線２を支持するために管状部材３を用いたので、現地の状況にあわせて管状部材３の長さを調節したり、管状部材３の形状を調節することができ、現地の状況に合わせて支持具を構築することが可能となる。このため、電線支持具１を作製するために、特別な部材を発注する必要がなく、汎用品である管状部材（銅管、アルミ管、合成樹脂管など）を用いるので、コストの低減が図れ、また、納期の問題が生じることもなくなる。
【００２５】
さらに、管状部材３は、電線２の動きを抑制するために、電線２を管状部材に固定しているので、電線支持具１の設置当初の電線２の垂れ下がりや、電線２とこれに隣接する機器等との離間距離を維持することが可能となる。
【００２６】
また、上述した構成においては、管状部材３の両端部３ａ，３ｂをかしめて電線と圧着させるようにしたが、圧着箇所は、管状部材３の中程で行なうようにしてもよい。また、圧着箇所を設けず、図５に示されるように、管状部材３の全範囲で管状部材３と電線２との間に遊びをもたせて、電線２の軸方向の移動を許容してもよい。このような構成においては、管状部材３と電線２と軸方向の相対位置が変更可能であるので、地震などによって電線２に接続された機器等が揺れて電線２が引っ張られるような場合でも、電線２が破損する等の不都合がなくなる。
【００２７】
さらにまた、上述した構成においては、機器間に配線される電線の途中を支持する例を示したが、鉄塔から機器に配線を行なう場合やブッシングから機器に配線を行なう場合などの途中を支持する場合にも利用できることは言うまでもなく、また、上述した構成においては、専用の支持架台７に設けられた碍子４に管状部材３を固定するようにしたが、変電所の遮断器などのような機器に接続される電線に対して相間距離等を確保するために機器上に設けられる碍子に管状部材を固定し、これに電線を挿通させて支持するようにしてもよい。
【図面の簡単な説明】
【００２８】
【図１】図１は、電線支持具の構成例を示す側面図である。
【図２】図２は、図１のＡ−Ａ線で切断した断面を示す図である。
【図３】図３は、図１の電線支持具を上方から見た平面図である。
【図４】図４は、電線支持具の他の構成例を示す平面図である。
【図５】図５は、電線支持具のさらに他の構成例を示す平面図である。
【符号の説明】
【００２９】
１  電線支持具
２  電線
３  管状部材
４  碍子
７  支持架台
８  丸線クランプ
【図１】
2006081349.tif 000003
【図２】
2006081349.tif 000004
【図３】
2006081349.tif 000005
【図４】
2006081349.tif 000006
【図５】
2006081349.tif 000007